(57)【特許請求の範囲】
【請求項１】
壁面に固定される取付け板の下方にフックを形成した絵画等の吊り下げ具において、上記取付け板にその前面側に突出した支持板を形成し、上記支持板に上記フックの開口を開閉する開閉部材を取り付け、上記支持板の両側に凹所をそれぞれ形成し、上記開閉部材を弾力性のある金属線を屈曲させてＶ字形に形成し、上記開閉部材の両側辺を上記各凹所に押し当てて当該開閉部材により上記支持板を挟持せしめ、上記開閉部材の両端部を上記支持板の上面に沿って上記取付け板と反対側に屈曲形成し、上記開閉部材の先端を上記フックの先端部内面に接触させるようにしたことを特徴とする絵画等の吊り下げ具。
【発明の詳細な説明】
【０００１】
【発明の属する技術分野】
この発明は、絵画等の吊り下げ具、特に、吊り下げられた絵画等が落下するのを防ぐ抜け止め構造を有する吊り下げ具に関する。
【０００２】
【従来の技術】
従来の抜け止め構造を有する吊り下げ具は、図６に示すように、軸部３０下端にフック３１を形成し、軸部３０にフック開口３２を開閉する開閉部材３３を取付け、開閉部材３３を金属線を屈曲してＶ字形に形成し、開閉部材３３の両端部を内側に折り曲げてヒンジを形成し、軸部３０の最大径の部分の両側に同一軸上の水平方向の孔を形成し、その孔にヒンジを回転自在に取付け、開閉部材３３のＶ字形の２辺を軸部３０の外周面に接触させ、かつ、開閉部材３３の先端をフック３１の先端部の内側に接触させている。
【０００３】
以上の吊り下げ具を使用する場合には、開閉部材３３を押し込んでフック開口３２を開くと、開閉部材３３の三角形状の２辺が軸部３０の外周面に押し拡げられる。このため、開閉部材３３を押し込むのを止めると、開閉部材３３は弾性力により元の状態に復帰してフック開口３２を閉じる。
【０００４】
このように、開閉部材によりフック開口を閉鎖して吊りひもの抜け止めができるので、地震等が発生しても絵画等が落下するのを防止することができる。
【０００５】
【発明が解決しようとする課題】
しかしながら、上記のような吊り下げ具は、開閉部材が接触する軸部の外周面が円弧状でなければならず、しかも軸部の最大径の部分の両側に同一軸上の水平方向の孔を形成する必要があった。
【０００６】
そこで、この発明の課題は、吊り具の抜け止め構造をより簡素化して製造コストの低減を図ることを目的とする。
【０００７】
【課題を解決するための手段】
以上のような課題を解決するために、この発明は、壁面に固定される取付け板の下方にフックを形成した絵画等の吊り下げ具において、上記取付け板にその前面側に突出した支持板を形成し、上記支持板に上記フックの開口を開閉する開閉部材を取り付け、上記支持板の両側に凹所をそれぞれ形成し、上記開閉部材を弾力性のある金属線を屈曲させてＶ字形に形成し、上記開閉部材の両側辺を上記各凹所に押し当てて当該開閉部材により上記支持板を挟持せしめ、上記開閉部材の両端部を上記支持板の上面に沿って上記取付け板と反対側に屈曲形成し、上記開閉部材の先端を上記フックの先端部内面に接触させるようにした構成を採用したのである。
【０００８】
この吊り下げ具に吊りひもを吊り下げる場合には、開閉部材をフック内に押し込んでフックを開口させると、Ｖ字形の開閉部材により支持板を挟持し、かつ、開閉部材の両端部が上記支持板の上面に沿って屈曲形成されているので、開閉部材の両端部が支持板の上面に押圧されて弾性変形が生じる。このため、開閉部材を押し込むのを止めると、弾性変形により生じた弾性力により、開閉部材は元の状態に戻りフックの開口を閉じる。
【０００９】
【発明の実施の形態】
以下、この発明の実施形態の一例を、図１乃至図５に基づいて説明する。
【００１０】
この吊り下げ具は、取付け部１、フック５及び開閉部材６より成り、取付け部１とフック５は、図２に示すように、一体に形成されている。
【００１１】
取付け部１は、取付け板２、支持板３及び補強板４により構成され、取付け板２の上端の折り曲げ部を介して補強板４が形成され、また補強板４の下端の折り曲げ部を介して支持板３が形成され、取付け部１の側面視が全体として三角形になっている。
【００１２】
また、補強板４に、図３に示すように、孔１１、１２、１３が形成され、取付け板２には、孔１１、１２、１３の中心位置よりも低い位置を中心とする孔１１ａ、１２ａ、１３ａがそれぞれ対向して形成されている。
【００１３】
また、支持板３は、取付け板２の前面側に折り返され、その端部中央に支持片７が突出して形成されている。支持片７の両側には、凹所８、８が形成され、その凹所８、８から取付け板２の両側縁にわたりスリット９、９が形成される。
【００１４】
上記支持片７の両側には、開閉部材６が取付けられる。開閉部材６は、図３及び図４に示すように、金属線を屈曲させてＶ字形に形成されており、開閉部材６の両側辺が凹所８、８内に取り付けられ、両端部６ａ，６ａが支持板３の上面に沿って取付け板２と反対側に屈曲して形成される。これにより、開閉部材６の支持板３に対する上下又は水平方向の移動が阻止される。
【００１５】
上記開閉部材６を支持片７の両側に取り付けた状態において、開閉部材６が前方下方に突き出して、その先端部が、フック５の先端部内面に接触するように、上記両端部６ａ，６ａの屈曲角度及び開閉部材６の長さを設定しておく。
【００１６】
また、フック５の先端部内面には、開閉部材６の先端部と係合する突起１０が形成されている。
【００１７】
以上の吊り具に額縁を吊り下げる場合には、図５に示すように、額縁２１を吊り下げる壁２０の所望の箇所に、固定ピン１４を孔１１、１１ａと孔１２、１２ａと孔１３、１３ａに沿って壁に対して斜めに打ち込んで吊り具を固定する。
【００１８】
次に、額縁２１の吊りひも２２を開閉部材６に押し当てることにより、開閉部材６がフック５内に押し込まれる（図５の二点鎖線参照）。この場合、開閉部材６は支持板３に対して上下又は水平方向に移動できないので、両端部６ａ，６ａが支持板３に押圧されて弾性変形が生じる。
【００１９】
このように、フック５の開口が開かれると、吊りひも２２はフック５先端と開閉部材６先端の間を通過でき、吊りひも２２をフック５内に引っかけることができる。
【００２０】
また、吊りひも２２が開閉部材６を通過した後は、開閉部材６を押し込む力が働かないので、開閉部材６は弾性変形により生じた弾性力により元の状態に戻る（図５参照）。
【００２１】
従って、額縁２１を吊り下げている状態では、図５に示すように、フック５の開口は開閉部材６により閉ざされているので、地震などで大きな振動を受けた場合でも、吊りひも２２がフック５から抜け出ることがない。これにより、額縁２１の落下を防止することができる。
【００２２】
【発明の効果】
以上のように、この発明によれば、Ｖ字形の開閉部材の両側辺により支持板を挟持し、かつ、その両端部が支持板の上面に沿って屈曲形成されているので、開閉部材の支持板に対する上下又は水平方向の移動が阻止される。
【００２３】
これにより、開閉部材を押し込んだ場合に、開閉部材の両端部が支持板の上面に押圧されて弾性変形が生じ、この弾性力により元の状態に戻るようにしたので、抜け止め構造をより簡素化することができ、製造コストの低減を図ることができる。
【図面の簡単な説明】
【図１】吊り具の一例を示す斜視図
【図２】同上の縦断面図
【図３】同上の正面図
【図４】IV−IV横断面図
【図５】同上の使用状態を示す側面図
【図６】従来例を示す斜視図
【符号の説明】
１  取付け部
２  取付け板
３  支持板
４  補強板
５  フック
６  開閉部材
６ａ  端部
７  支持片
８  凹所
９  スリット
１０  突起
１１、１１ａ，１２，１２ａ，１３，１３ａ  孔
１４  固定ピン
２０  壁
２１  額縁
２２  吊りひも
３０  軸部
３１  フック
３２  フック開口
３３  開閉部材
【図１】
0003720096.tif 000002
【図２】
0003720096.tif 000003
【図３】
0003720096.tif 000004
【図４】
0003720096.tif 000005
【図５】
0003720096.tif 000006
【図６】
0003720096.tif 000007